(57)【特許請求の範囲】
【請求項１】
金属線材から成り、
金属線材は、
第１仮想平面内を、金属線材の一端から、第１仮想平面内を螺旋状に外方に向かって３／４回転を越えて概ね最下点まで延びる第１の部分、
第１仮想平面と９０度±２０度の範囲内で交わる第２仮想平面内を上方に、且つ、第１仮想平面から離れる方向に、第１の部分から延びる第２の部分、並びに、
第２仮想平面内を、第１仮想平面に近づく方向に、第２の部分から螺旋状に内方に向かって延び、１／２回転を越えて終端する第３の部分、
から構成され、
第１仮想平面内に位置する金属線材の第１の部分、及び、第３の部分の第１仮想平面に最も近づいた部分によって、耳たぶを挟むことを特徴とするイヤリング。
【請求項２】
金属線材の一端には係止部が設けられていることを特徴とする請求項１に記載のイヤリング。
【請求項３】
係止部は装飾部材から成ることを特徴とする請求項２に記載のイヤリング。
【請求項４】
金属線材の第１の部分と第２の部分の接続部分は滑らかな曲線で結ばれていることを特徴とする請求項１乃至請求項３のいずれか１項に記載のイヤリング。
【請求項５】
金属線材の第１の部分と第２の部分の接続部分を第２仮想平面に投影したとき得られる形状は環状の形状であることを特徴とする請求項４に記載のイヤリング。
【請求項６】
金属線材の第１の部分と第２の部分の接続部分には宝飾品が配されていることを特徴とする請求項５に記載のイヤリング。
【請求項７】
金属線材の第２の部分は滑らかな曲線から構成されていることを特徴とする請求項１乃至請求項６のいずれか１項に記載のイヤリング。
【請求項８】
金属線材は、アレルギーフリーの医療用ステンレス鋼から成ることを特徴とする請求項１乃至請求項７のいずれか１項に記載のイヤリング。
【請求項９】
金属線材の第１の部分が耳たぶの外側に位置することを特徴とする請求項１乃至請求項８のいずれか１項に記載のイヤリング。
【請求項１０】
金属線材の第３の部分が耳たぶの外側に位置することを特徴とする請求項１乃至請求項８のいずれか１項に記載のイヤリング。
【発明の詳細な説明】
【技術分野】
【０００１】
本発明は、クリップ式のイヤリングに関する。
【背景技術】
【０００２】
従来のねじ式のイヤリングにあっては、ねじ（あるいはねじの付いた留め金）で耳たぶを挟むことでイヤリングを耳たぶに装着する。従って、使用者は、装着時の不快感や、圧迫感、痛み等を、屡々、感じる場合がある。それ故、近年、ピアス式のイヤリングの需要が増えている。特に、装飾部を取り外し可能なピアス式のイヤリングは、使用者が、自身で自由に装飾部を交換することができ、便利であるし、ファッション的にも非常にバリエーションが広がる。しかしながら、往来のピアス式のイヤリングの装着のためには、耳たぶへの穴開けが必要とされ、抵抗感を感じる者も多い。また、何らかの理由によって、耳たぶに穴あけができない場合もある。
【０００３】
このような問題を解決するためのイヤリングとして、金属線材を折り曲げることで作製され、金属線材の弾性を利用して耳たぶを挟み付けるクリップ式のイヤリングが、周知である。例えば、実開平６−０８１３１７には、Ｕ字状に形成した金属製の弾性線材の凹部に、弾性線材を巻回した小ループを形成し、また、弾性線材の両端にはそれぞれ装飾体を取り付けたクリップ式のイヤリングが開示されている。
【先行技術文献】
【特許文献】
【０００４】
【特許文献１】実開平６−０８１３１７
【発明の概要】
【発明が解決しようとする課題】
【０００５】
しかしながら、この実用新案出願公開公報に開示されたイヤリングにあっては、２つの装飾体３，４で耳たぶを挟むので、耳たぶの表側及び裏側のそれぞれにおいて一点で耳たぶを挟むことになる。それ故、使用者が長時間装着したとき、圧迫感や痛みを感じるといった問題があるし、腫れやしこり等の原因となる場合もあり得る。また、バチカン５を用いてイヤリングに装飾体７を取り付けるので、装飾体７を自由に交換することは困難である。
【０００６】
従って、本発明の目的は、使用者が装着したとき、圧迫感等の痛みを感じ難く、しかも、所望に応じて、宝飾品を使用者が自由に交換することが可能なイヤリングを提供することにある。
【課題を解決するための手段】
【０００７】
上記の目的を達成するための本発明のイヤリングは、
金属線材から成り、
金属線材は、
第１仮想平面内を、金属線材の一端から、第１仮想平面内を螺旋状に外方に向かって３／４回転を越えて概ね最下点まで延びる第１の部分、
概ね９０度捻られ、第２仮想平面内を上方に、且つ、第１仮想平面から離れる方向に、第１の部分から延びる第２の部分、並びに、
第２仮想平面内を、第１仮想平面に近づく方向に、第２の部分から螺旋状に内方に向かって延び、１／２回転を越えて終端する第３の部分、
から構成され、
第１仮想平面内に位置する金属線材の第１の部分、及び、第３の部分の第１仮想平面に最も近づいた部分によって、耳たぶを挟むことを特徴とする。
【０００８】
尚、第１の部分は、金属線材の一端から３／４回転を越えて概ね最下点まで延びるが、この状態として、第１の部分が、その端部から垂直方向下方に延び始めて、例えば、１回転あるいは２回転して延びる状態、その端部から斜めに延び始めて、３／４回転を越えて状態を挙げることができる。概ね最下点とは、最下点から±１／８回転分ずれた位置で第１の部分が終わってもよいことを意味する。また、第２の部分は、第１の部分に対して概ね９０度捻られるが、この状態は、第２の部分が、第１の部分に対して９０度±２０度の範囲内で捻られる状態を包含している。即ち、第１仮想平面と第２仮想平面とは、９０度±２０度の範囲内で交わる状態を包含している。更には、第３の部分は、１／２回転を越えて終端すればよく、例えば、３／４回転あるいは１回転して終端する状態を挙げることができる。また、第１の部分は第１仮想平面に含まれ、第２の部分及び第３の部分は第２仮想平面に含まれているが、第１仮想平面及び第２仮想平面として、或る厚さのある空間を想定している。即ち、第１仮想平面及び第２仮想平面として、或る程度、波打った仮想平面を想定している。
【０００９】
本発明のイヤリングにおいて、金属線材の一端には係止部が設けられている形態とすることができ、この場合、係止部は、各種の装飾部材から成る構成とすることができる。
【００１０】
上記の好ましい形態、構成を含む本発明のイヤリングにおいて、金属線材の第１の部分と第２の部分の接続部分は滑らかな曲線で結ばれていることが好ましく、金属線材の第１の部分と第２の部分の接続部分を第２仮想平面に投影したとき得られる形状は環状の形状であることが、より好ましい。そして、この場合、金属線材の第１の部分と第２の部分の接続部分には宝飾品が配されている形態とすることができる。ここで、宝飾品として、具体的には、各種宝石や所謂チャームを挙げることができる。宝飾品は、金属線材の第３の部分の端部から挿入すればよい。
【００１１】
更には、以上に説明した各種の好ましい形態、構成を含む本発明のイヤリングにおいて、金属線材の第２の部分は滑らかな曲線から構成されている形態とすることができる。
【００１２】
更には、以上に説明した各種の好ましい形態、構成を含む本発明のイヤリングにおいて、金属線材は、アレルギーフリーの医療用ステンレス鋼から成ることが好ましく、具体的には、例えば、銅１８％、マンガン１８％、モリブデン１％、ニッケル１％を含むメンザニウム（ＭＥＮＺＡＮＩＵＭ）を例示することができる。尚、金属線材は、金属から作製されているだけでなく、このように、合金から作製されていてもよい。
【００１３】
更には、以上に説明した各種の好ましい形態、構成を含む本発明のイヤリングにおいて、金属線材の第１の部分が耳たぶの外側に位置するといった形態であってもよいし、金属線材の第３の部分が耳たぶの外側に位置するといった形態であってもよい。
【発明の効果】
【００１４】
本発明のイヤリングにあっては、第１仮想平面内に位置する金属線材の第１の部分、及び、第３の部分の第１仮想平面に最も近づいた部分によって、耳たぶを挟むので、力の分散が図られ、耳たぶを圧迫する点が一点に集中せず、使用者が装着したとき、圧迫感や痛みを感じ難い。しかも、螺旋形状による接触面を広げた構造を有するが故に、圧迫感を和らげるだけでなく、耳たぶとの密着性を高めることができ、安定した装着を可能にする。また、所望に応じて、第３の部分の端部から第１の部分と第２の部分の接続部分へと、使用者が自由に宝飾品を配することができ、所望の宝飾品を自由に交換することができる。
【図面の簡単な説明】
【００１５】
【図１】図１の（Ａ）、（Ｂ）、（Ｃ）及び（Ｄ）は、実施例１のイヤリングの模式図である。
【図２】図２の（Ａ）、（Ｂ）、（Ｃ）、（Ｄ）、（Ｅ）及び（Ｆ）は、実施例１のイヤリングの第１の部分、第２の部分、第３の部分を説明するための模式図である。
【発明を実施するための形態】
【００１６】
以下、図面を参照して、実施例に基づき本発明を説明するが、本発明は実施例に限定されるものではない。
【実施例１】
【００１７】
実施例１は、本発明のイヤリングに関する。図１の（Ａ）には、実施例１のイヤリングの模式的な正面図を示し、図１の（Ｂ）には、実施例１のイヤリングの模式的な右側面図を示し、図１の（Ｃ）には、実施例１のイヤリングを使用している状態を模式的な右側面図で示す。更には、図２の（Ａ）及び（Ｂ）に、実施例１のイヤリングの第１の部分を説明するための模式的な正面図及び右側面図を示し、図２の（Ｃ）及び（Ｄ）に、実施例１のイヤリングの第２の部分を説明するための模式的な正面図及び右側面図を示し、図２の（Ｅ）及び（Ｆ）に、実施例１のイヤリングの第３の部分を説明するための模式的な正面図及び右側面図を示す。尚、図２の（Ａ）及び（Ｂ）にあっては、第１の部分を実線で示し、その他の部分を点線で示す。また、図２の（Ｃ）及び（Ｄ）にあっては、第２の部分を実線で示し、その他の部分を点線で示す。更には、図２の（Ｅ）及び（Ｆ）にあっては、第３の部分を実線で示し、その他の部分を点線で示す。ここで、図１に示したイヤリングと鏡像に関係にあるイヤリングとの一対（右耳用イヤリング及び左耳用イヤリング）が、実際の使用に供される。
【００１８】
実施例１のイヤリングは、金属線材１０、具体的には、弾性と硬度に富む特殊なアレルギーフリーの医療用ステンレス鋼、より具体的には、メンザニウム（ＭＥＮＺＡＮＩＵＭ）から製造された線材から成る。そして、金属線材１０は、第１の部分１１、第１の部分１１から連続した第２の部分１２、及び、第２の部分１２から連続した第３の部分１３から構成され、第３の部分１３で終端している。即ち、実施例１のイヤリングは、接続部がない１本の金属線材から構成されている。
【００１９】
ここで、第１の部分１１は、図１の（Ａ）及び（Ｂ）、並びに、図２の（Ａ）及び（Ｂ）に示すように、金属線材１０の一端から、第１仮想平面内を螺旋状に外方に向かって３／４回転を越えて概ね最下点まで延びる。尚、第１仮想平面は、図１の（Ａ）にあっては紙面が該当し、図１の（Ｂ）にあっては紙面に垂直な面が該当する。実施例１にあっては、より具体的には、第１の部分１１は、その端部から垂直方向下方に延び始めて、第１仮想平面内を螺旋状に外方に向かって延び続け、１回転して最下点まで延びている。また、第２の部分１２は、図１の（Ａ）及び（Ｂ）、並びに、図２の（Ｃ）及び（Ｄ）に示すように、第１の部分１１に対して、概ね９０度捻られ、第２仮想平面内を上方に、且つ、第１仮想平面から離れる方向に、第１の部分１１から延びる。尚、第２仮想平面は、図１の（Ｂ）にあっては紙面が該当し、図１の（Ａ）にあっては紙面に垂直な面が該当する。より具体的には、実施例１にあっては、第２の部分１２は、第１の部分１１に対して、９０度捻られている。尚、第１仮想平面と第２仮想平面とは、概ね９０度（実施例１にあっては９０度）にて交わっている。更には、第３の部分１３は、図１の（Ａ）及び（Ｂ）、並びに、図２の（Ｅ）及び（Ｆ）に示すように、第２仮想平面内を、第１仮想平面に近づく方向に、第２の部分１２から螺旋状に内方に向かって延び、１／２回転を越えて、実施例１においては３／４回転して、終端する。第１の部分１１及び第３の部分１３は、例えば、クロソイド曲線に類似した曲線を描いている。
【００２０】
そして、図１の（Ｃ）に示すように、第１仮想平面内に位置する金属線材１０の第１の部分１１、及び、第３の部分１３の第１仮想平面に最も近づいた部分１３Ａによって、耳たぶを挟む。
【００２１】
実施例１のイヤリングにおいて、金属線材１０の一端には係止部２０、具体的には、装飾部材から成る係止部２０が設けられている。ここで、装飾部材は、例えば、真珠から構成されている。より具体的には、係止部２０に穴を開け、金属線材１０の第１の部分１１の端部をこの穴に挿入し、接着剤で固定すればよい。係止部２０の大きさ、素材、形、色等は、任意に選択することができるが、係止部２０を設けることで、装飾だけでなく、金属線材１０の先端部と皮膚や耳たぶとの直接的な接触を防ぎ、安全性を高め、しかも、耳たぶとの密着の安定化を図ることができる。
【００２２】
金属線材１０の第１の部分１１と第２の部分１２の接続部分（折返し部）１４は、滑らかな曲線で結ばれている。ここで、金属線材１０の第１の部分１１と第２の部分１２の接続部分（折返し部）１４を第２仮想平面に投影したとき得られる形状は、閉じた環状である（図１の（Ｂ）参照）。即ち、金属線材１０の第１の部分１１と第２の部分１２の接続部分（折返し部）１４にあっては、金属線材１０は、小さなループ状に巻き回されており、しかも、概ね９０度捻られている。また、金属線材１０の第２の部分１２は、滑らかな曲線、例えば、円弧に類似した２つの曲線の組合せから構成されている（図１の（Ｂ）参照）。
【００２３】
実施例１のイヤリングの使用にあっては、金属線材の第１の部分１１が耳たぶの外側に位置するといった使用形態とすることができる。この状態にあっては、図１の（Ｃ）において、第３の部分１３の右側に使用者の頭部が位置する。あるいは又、金属線材の第３の部分１３が耳たぶの外側に位置するするといった使用形態とすることもできる。この状態にあっては、図１の（Ｃ）において、第１の部分１１の左側に使用者の頭部が位置する。このような使用形態によって、１つのイヤリングに２つのデザイン性を付与することができる。
【００２４】
実施例１のイヤリングは、第１仮想平面内に位置する金属線材１０の第１の部分１１と、第３の部分１３の第１仮想平面に最も近づいた部分１３Ａとの間の隙間を適度に広げ、この隙間に外耳（耳介、耳殻）の軟骨部を挿入し、イヤリングを下方に耳たぶまでスライドさせることで、イヤリングを耳たぶに装着することができる。尚、金属線材の硬度と弾性により、装着時に隙間を広げても、容易に元に戻る。イヤリングを取り外す際には、そのまま、耳たぶより下方に引き抜けばよい。そして、使用者に応じて、例えば、この隙間の広狭、イヤリング全体の大きさの最適化を図ればよい。
【００２５】
実施例１のイヤリングの装着にあっては金属線材１０の弾性を利用してはいるが、イヤリングそれ自身は、耳たぶの厚さに適応した状態を保っている。そのため、耳たぶへの圧迫感が殆ど無く、金属線材１０の適度な弾性と耳たぶの弾力とによって、耳たぶへのイヤリングの装着、固定を確実に行うことができる。そして、第１仮想平面内に位置する金属線材１０の第１の部分１１、及び、第３の部分１３の第１仮想平面に最も近づいた部分１３Ａによって、耳たぶを挟むので、使用者が装着したとき、圧迫感や痛みを感じ難い。また、金属線材の曲げ具合により、多様なデザインが可能である。しかも、耳たぶに穴を開けることなく、ピアスを装着したような外観を与えることができる。
【実施例２】
【００２６】
実施例２は実施例１の変形である。実施例２にあっては、模式的な右側面図を図１の（Ｄ）に示すように、金属線材１０の第１の部分１１と第２の部分１２の接続部分（折返し部）１４には、宝飾品２１が、例えば鎖２２を介して配されている。宝飾品２１として、例えば、真珠を挙げることができる。第３の部分１３の端部１５から第３の部分１３へと鎖２２を挿入し、鎖２２を接続部分１４まで移動させることで、簡単に、しかも、自由に、多種多様の宝飾品２１をイヤリングに配することができる。以上の点を除き、実施例２のイヤリングは、実施例１にて説明したイヤリングと同様の構成、構造とすることができるので、詳細な説明は省略する。
【００２７】
以上、本発明を好ましい実施例に基づき説明したが、本発明はこれらの実施例に限定されるものではない。実施例にて説明したイヤリングの具体的な形状、材質等は例示であり、適宜、変更することができる。
【符号の説明】
【００２８】
１０・・・金属線材、１１・・・第１の部分、１２・・・第２の部分、１３・・・第３の部分、１３Ａ・・・第３の部分の第１仮想平面に最も近づいた部分、１４・・・接続部分（折返し部）、１５・・・第３の部分の端部、２０・・・係止部、２１・・・宝飾品、
２２・・・鎖
【図１】
0005738087.tif 000002
【図２】
0005738087.tif 000003